(57)【要約】  本発明は高密度光ディスク、高密度光ディスクへのアドレスまたは／及びサーボ情報記録方法、高密度光ディスクに記録されたデータの再生方法に関する。高密度光ディスクにエラー訂正ブロックに対応するサイズの記録ユニットブロック（ＲＵＢ）単位でデータが記録され、記録ユニットブロックの連結領域１または連結領域２内に各記録ユニットブロックに対するアドレス情報または／及びスピンドルサーボ制御のための所定チャネルビットのスピンドルインデックス情報が記録される。したがって、光ディスクプレーヤー等で再生動作時アドレス情報または／及びスピンドルインデックス情報を別の複雑なデコーディング動作なく速かに読み出して、ユーザーが希望する特定の記録位置をランダムにアクセスすることができ、線速度一定（ＣＬＶ）方式のスピンドルサーボ動作を簡便に制御することができる。
2005536002.tif 000002
【特許請求の範囲】
【請求項１】
記録媒体の記録ユニットのアドレス情報を前記記録ユニットの第１連結領域または第２連結領域内の特定領域に記録するステップを有し、
前記アドレス情報は前記第１連結領域または第２連結領域を識別するために記録されるデータと共に前記特定領域に記録されることを特徴とする記録媒体への情報記録方法。
【請求項２】
前記アドレス情報は、前記第１連結領域または第２連結領域を識別するために反復記録される所定データの間に記録されるかまたは前記所定データの前端または後端のいずれか一つに記録されることを特徴とする請求項１記載の記録媒体への情報記録方法。
【請求項３】
前記アドレス情報にはアドレスユニット番号または物理的セクター番号のいずれか一つが含まれることを特徴とする請求項１記載の記録媒体への情報記録方法。
【請求項４】
前記アドレス情報にはアドレスユニット番号または物理的セクター番号のいずれか一つ、パリティービット情報及び予備情報が含まれることを特徴とする請求項１記載の記録媒体への情報記録方法。
【請求項５】
前記アドレス情報の前端と後端には所定長さの同期データと整列データがそれぞれ記録されることを特徴とする請求項１記載の高密度再生専用光ディスクへの情報記録方法。
【請求項６】
記録媒体のスピンドルサーボ制御のためのサーボ制御情報を所定サイズの記録ユニットの第１連結領域または第２連結領域に記録することを特徴とする記録媒体への情報記録方法。
【請求項７】
前記サーボ制御情報は前記第１連結領域または第２連結領域内の特定領域に記録されることを特徴とする請求項６記載の記録媒体への情報記録方法。
【請求項８】
前記サーボ制御情報は線速度一定方式のスピンドルサーボ制御のための情報の役割を果たすことを特徴とする請求項６記載の高密度再生専用光ディスクの情報記録方法。
【請求項９】
第１連結領域及び／または第２連結領域を含み、
データは記録ユニットに記録され、
前記記録ユニットのアドレス情報は前記第１連結領域または第２連結領域内に含まれる特定領域に記録され、
前記アドレス情報は前記第１連結領域または第２連結領域を識別するために記録されるデータと共に前記特定領域に記録されていることを特徴とする記録媒体。
【請求項１０】
前記アドレス情報は、前記第１連結領域または第２連結領域を識別するために記録されるデータの間に記録されるかまたは前記データの前端または後端のいずれか一つに記録されていることを特徴とする請求項９記載の記録媒体。
【請求項１１】
前記アドレス情報にはアドレスユニット番号または物理的セクター番号のいずれか一つが含まれることを特徴とする記録媒体。
【請求項１２】
前記アドレス情報にはアドレスユニット番号または物理的セクター番号のいずれか一つ、パリティービット情報、予備情報が含まれることを特徴とする請求項９記載の記録媒体。
【請求項１３】
前記アドレス情報の前端と後端には所定長さの同期データと整列データがそれぞれ記録されていることを特徴とする請求項９記載の記録媒体。
【請求項１４】
第１連結領域及び／または第２連結領域を含み、
データは記録ユニットに記録され、
スピンドルサーボ制御のためのサーボ制御情報は前記記録ユニットの前記第１連結領域または第２連結領域に記録されていることを特徴とする記録媒体。
【請求項１５】
前記サーボ制御情報は、前記第１連結領域または第２連結領域内の特定領域に記録されていることを特徴とする請求項１４記載の記録媒体。
【請求項１６】
前記サーボ制御情報は線速度一定方式のスピンドルサーボ制御のための情報の役割を果たすことを特徴とする請求項１４記載の記録媒体。
【請求項１７】
記録媒体の連結領域に記録された情報を読み込む１段階と、
前記読み込んだ情報を基礎にしてサーボ制御をしながら、前記記録媒体に記録されたデータを再生する２段階とを有する記録媒体に記録されたデータ再生方法。
【請求項１８】
前記１段階で読み込んだ情報はアドレス情報及び／またはスピンドルサーボ情報であることを特徴とする請求項１７記載の記録媒体に記録されたデータ再生方法。
【請求項１９】
前記アドレス情報にはアドレスユニット番号または物理的セクター番号のいずれか一つが含まれることを特徴とする請求項１７記載の記録媒体に記録されたデータ再生方法。
【請求項２０】
前記２段階は、前記アドレス情報を利用して現在再生する位置を確認することを特徴とする請求項１８記載の記録媒体に記録されたデータ再生方法。
【請求項２１】
前記スピンドルサーボ情報は所定長さのピットとスペースが所定回数反復記録されていることを特徴とする請求項１８記載の記録媒体に記録されたデータ再生方法。
【請求項２２】
前記２段階は、前記スピンドルサーボ情報を基礎にして前記記録媒体を線速度一定方式で制御することを特徴とする請求項１８記載の記録媒体に記録されたデータ再生方法。
【請求項２３】
前記２段階は、前記スピンドルサーボ情報を基礎にして前記記録媒体を領域別線速度一定方式で制御することを特徴とする請求項１８記載の記録媒体に記録されたデータ再生方法。
【請求項２４】
前記２段階は、前記スピンドルサーボ情報を基礎にして前記記録媒体を角速度一定方式で制御することを特徴とする請求項１８記載の記録媒体に記録されたデータ再生方法。
【発明の詳細な説明】
【技術分野】
【０００１】
本発明は高密度光ディスクにデータを記録する方法に係り、さらに詳細には、再生専用ブルーレイディスク（ＢＤ−ＲＯＭ：Blu-ray Disc Read Only Memory）のような高密度再生専用光ディスク、その高密度再生専用光ディスクへのアドレスまたは／及びサーボ情報記録方法、高密度再生専用光ディスクに記録されたデータの再生方法に関する。
【背景技術】
【０００２】
最近、長時間の高画質のビデオデータと高音質のオーディオデータを記録することができる新しい高密度光ディスク、例えば再記録可能なブルーレイディスク（ＢＤ−ＲＥ）が開発推進中にある。図１に示したように、ＢＤ−ＲＥ  １００は、クランピング領域、トランジション領域、バーストカッティング領域（ＢＣＡ：Burst Cutting Area）、リードイン領域、データ領域、リードアウト領域などに区画されている。
【０００３】
ＢＤ−ＲＥ  １００に記録されるデータは、図２に示したように、一つのエラー訂正ブロック（ECC Block）に対応するサイズを有する記録ユニットブロック（ＲＵＢ：Recording Unit Block）に区分されて記録される。
【０００４】
記録ユニットブロックが２７６０チャネルビットのランイン領域、９５８２７２チャネルビットの物理的クラスタ領域、１１０４チャネルビットのランアウト領域で構成されている。例えば、時間的に連続性を有するデータを一つの記録ユニットブロック内に記録できる場合、記録ユニットブロック後端には５４０チャネルビットのガード３領域が記録される。
【０００５】
一方、時間的連続性を有するデータを一つの記録ユニットブロック内に記録できず複数の記録ユニットブロックに記録しなければならない場合には、ランイン領域、物理的クラスタ領域、ランアウト領域で構成される記録ユニットブロックが連続して記録された後に、一つのガード３領域が記録される。ガード３領域は、記録終了後次に記録されるデータが前に記録されたデータとオーバーラップして記録されるのを事前に防止するためのものである。
【０００６】
記録ユニットブロックのランイン領域は、図３に示したように、１１００チャネルビットのガード１領域と１６６０チャネルビットのプリアンブル領域に分かれている。ガード１領域には記録ユニットブロックの先頭を識別するための２０チャネルビットの同一パターンが５５回反復記録される。
【０００７】
また、記録ユニットブロックのランアウト領域は５６４チャネルビットのポストアンブルと５４０チャネルビットのガード２領域に分かれている。ガード２領域には記録ユニットブロックの終端を識別するための２０チャネルビットの同一パターンが２７回反復記録される。
【０００８】
ガード３領域にもデータ記録の終了を識別するための２０チャネルビットの同一パターンが２７回反復記録される。このようにして、光ディスクレコーダ等が記録ユニットブロックの先頭、終端、そして記録終了の位置を識別することができる。
【０００９】
また、ＢＤ−ＲＥ  １００に記録されるデータには、一つのエラー訂正ブロック単位に対応する記録ユニットブロック（ＲＵＢ）をランダムにアクセスするためのアドレス情報が含まれいる。アドレス情報はＡ／Ｖデータと共に変調及びエンコーディングされて記録され、記録ユニットブロック内の物理的クラスタ領域に分散されて記録される。したがって、アドレス情報を読み出して確認するためには、記録ユニットブロック（ＲＵＢ）に記録されたデータをすべて読み出して復調し、デコーディングしなければならないため、光ディスクレコーダまたは光ディスクプレーヤー等のシステム負荷が大きくなり、データに対するランダムアクセス動作が遅くなるという問題が発生する。
【００１０】
さらに、ＢＤ−ＲＥ  １００にはデータの記録位置などを探索したりランダムアクセスするためのウォーブル形態の物理的アドレス情報があらかじめ記録されている。ウォーブル形態の物理的アドレス情報は、低周波成分のウォーブル信号として検出され、線速度一定（ＣＬＶ：Constant Linear Velocity）方式のスピンドルサーボ動作に利用される。したがって、光ディスクレコーダ等では、データ記録動作または再生動作時、低周波成分のウォーブル信号を検出して、ＣＬＶ方式のスピンドルサーボ動作を正常に実施する。
【００１１】
最近、再生専用ブルーレイディスク（ＢＤ−ＲＯＭ）のような高密度再生専用光ディスクの開発及び規格化作業が関連企業の間で論議されている。しかし、光ディスクに記録されたデータに対するランダムアクセス動作をより速かにできるようにするための効率的なアドレス情報記録方法がまだ用意されていない。また、前記のような高密度再生専用光ディスクは直列ピットの形態でデータが記録されているので、ＢＤ−ＲＥのようなウォーブル形態の物理的アドレス情報が記録されていないため、ＣＬＶ方式のスピンドルサーボ動作を效率的に制御することができない。したがって、これに対する効率的な解決方案の用意が要求されているのが実情である。
【発明の開示】
【発明が解決しようとする課題】
【００１２】
本発明は前記のような実情を勘案して創作されたものであって、高密度再生専用光ディスク、その高密度再生専用光ディスクに記録されたデータを速かにランダムアクセスできるようにするための効率的なアドレス情報記録方法、前記高密度再生専用光ディスクにウォーブル形態の物理的アドレス情報を別に記録しなくてもＣＬＶ方式のスピンドルサーボ動作を效率的に実施することができるサーボ情報記録方法、さらには高密度再生専用光ディスクに記録されたデータ再生方法を提供することが目的である。
【課題を解決するための手段】
【００１３】
前記のような目的を達成するための本発明による記録媒体への情報記録方法は、記録媒体の記録ユニットのアドレス情報を前記記録ユニットの第１連結領域または第２連結領域内の特定領域に記録するステップを含み、そのアドレス情報は前記第１連結領域または第２連結領域を識別するために記録されるデータと共に前記特定領域に記録されることを特徴とする。
【００１４】
本発明の他の実施態様による記録媒体への情報記録方法は、記録媒体のスピンドルサーボ制御のためのサーボ制御情報を所定サイズの記録ユニットの第１連結領域または第２連結領域に記録するステップを含むことを特徴とする。
【００１５】
本発明の実施態様による記録媒体は、第１連結領域及び／または第２連結領域を含み、データは記録ユニットに記録されていて、前記記録ユニットのアドレス情報が前記第１連結領域または第２連結領域内に含まれる特定領域に記録され、かつ前記第１連結領域または第２連結領域を識別するために記録されるデータと共に前記特定領域に記録されていることを特徴とする。
【００１６】
本発明の他の実施態様による記録媒体は、第１連結領域及び／または第２連結領域を含み、データは記録ユニットに記録されていて、スピンドルサーボ制御のためのサーボ制御情報は前記記録ユニットの前記第１連結領域または第２連結領域に記録されていることを特徴とする。
【００１７】
本発明のさらに他の実施態様は、記録媒体の連結領域に記録された情報を読み込む１段階と、前記読み込んだ情報を基礎にしてサーボ制御をしながら、前記記録媒体に記録されたデータを再生する２段階とを含むことを特徴とする。
【発明を実施するための最良の形態】
【００１８】
以下、本発明による高密度光ディスク、前記高密度光ディスクへのアドレスまたは／及びサーボ情報記録方法、前記高密度光ディスクに記録されたデータ再生方法に対する望ましい実施形態に対して、添付した図面を参照しながら詳細に説明する。
【００１９】
本発明による高密度光ディスクへのアドレスまたは／及びサーボ情報記録方法は再生専用ブルーレイディスク（ＢＤ−ＲＯＭ）を製作する過程で適用することができる。
【００２０】
図４に示したように、本ＢＤ−ＲＯＭ  ２００は、クランピング領域、トランジション領域、バーストカッティング領域（ＢＣＡ）、リードイン領域、データ領域、リードアウト領域などに区画される。また、リードイン領域、データ領域、リードアウト領域のうち全体または一部は、所定サイズのｎ個の論理的領域（Logical Zone 0-(n-1)）に区画される。
【００２１】
ＢＤ−ＲＯＭ  ２００に記録されるデータは、図２を参照しながら前述したように、一つのエラー訂正ブロックに対応するサイズの記録ユニットブロック（ＲＵＢ）に区分されて記録される。記録ユニットブロック内の２７６０チャネルビットのランイン領域は、図５に示したように、１１００チャネルビットのガード１（Ｇｕａｒｄ  １）領域と１６６０チャネルビットのプリアンブル領域とに区分されている。また、記録ユニットブロック内の１１０４チャネルビットのランアウト領域は、図６に示したように、５６４チャネルビットのポストアンブル領域とガード２領域に区分されている。
【００２２】
記録ユニットブロック内のランイン領域のガード１領域には、図５に示したように、４０チャネルビットのスピンドルインデックス情報が記録され、かつ、記録ユニットブロックの先頭を識別するための２０チャネルビットの同一パターンが５３回反復記録されている。この場合、現在領域が連結領域（ランイン領域またはランアウト領域）であることを識別するための２０チャネルビットの同一パターンと付加的な識別データがガード１領域に記録される。また、図６に示したように、スピンドルインデックス情報は記録ユニットブロック内のランアウト領域のうちガード２にも４０チャネルビットで記録される。この場合、前記ランアウト領域のガード２領域に、記録ユニットブロックの終端を識別するための２０チャネルビットの同一パターンが２５回反復記録される。一方、４０チャネルビットのスピンドルインデックス情報が、同一の２０チャネルビットのスピンドルインデックス情報が２回反復記録されて生成される。
【００２３】
例えば、ＢＤ−ＲＯＭが２３Ｇ級に該当するＢＤ−ＲＯＭである場合、一つの記録ユニットブロック（ＲＵＢ）は、９６２６７６チャネルビット×８０ｎｍ＝０．０７７ｍ、または９６２１３６チャネルビット×８０ｎｍ＝０．０７６８７ｍの大きさを有する。データ読み出し速度は５．２８ｍ／ｓであるので、記録ユニットブロック内に記録されたスピンドルインデックス情報は約０．０７７ｍを５．２８ｍ／ｓで割った０．０１４５８３ｓｅｃ周期で、すなわち６８．５７１Ｈｚの周期で検出される。一方、ＢＤ−ＲＯＭが２７Ｇ級に該当するＢＤ−ＲＯＭである場合、一つの記録ユニットブロック（ＲＵＢ）は９６２６７６チャネルビット×６９ｎｍ＝０．０６６４ｍ、または９６２１３６チャネルビット×６９ｎｍ＝０．０６６３８ｍの大きさを有する。データ読み出し速度は５．２８ｍ／ｓであるので、記録ユニットブロック内に記録されたスピンドルインデックス情報は約０．０６６ｍを５．２８ｍ／ｓで割った０．０１２５ｓｅｃ周期で、すなわち８０．０Ｈｚの周期で検出される。
【００２４】
一方、一般のチャネルビットデータは約６６ＭＨｚの高周波信号で検出される。したがって、光ディスクプレーヤー等では前記のように６８．５７１Ｈｚまたは８０．０Ｈｚの低い周期で検出されるスピンドルインデックス情報を約６６ＭＨｚの高周波成分を有する一般チャネルビットデータと正確に区分して検出することができる。
【００２５】
４０チャネルビットのスピンドルインデックス情報は、デコーディングしなくても、データパターンが一般データパターンと区別されるので、ＣＬＶ方式のスピンドルサーボ制御のための物理的アドレス情報の役割を果たすことができる。すなわち、光ディスクプレーヤー等では、装置内にＢＤ−ＲＯＭ  ２００が装着されると、読み出したＲＦ信号をデコーディングせずに、読み出したＲＦ信号からスピンドルインデックス情報の検出周期を確認して、確認された周期を基礎にしてスピンドルサーボ動作を実施することができる。
【００２６】
光ディスクの全体に対して同一の線速度で再生する場合、光ディスクの内周における回転速度が外周の回転速度に比べて２倍以上速くなる。したがって、光ディスクの記録または再生速度を高くしようとすると、光ディスクの内周の回転速度の増加によってスピンドルモーターに負担がかかる。これに対する解決方法として、ディスク回転速度を一定にする代わりディスクにデータを記録したり、再生する速度、すなわちデータレートをディスクの内周と外周とで異なるようにする、さらに正確には内周から外周に行くほどデータレートを増加させるＣＡＶ方式がある。また、これと同様の方法で光ディスクの半径に比例するように領域を区分して、例えば大きく内周、中間、外周領域に区分してそれぞれの領域ごとに線速度を異なるようにして同一領域内では線速度を一定にする方式（Ｚｏｎｅ  ＣＬＶ）がある。Ｚｏｎｅ  ＣＬＶ方式の場合、光ディスクの内周ではスピンドルモーターの回転速度は速いが記録または再生速度は相対的に低く、外周に進むほどスピンドルモーターの回転速度をそれほど増加させずに記録または再生速度を増加させることができるという長所がある。
【００２７】
光ディスクのスピンドルサーボ制御にＺｏｎｅ  ＣＬＶ方式が適用される場合、現在記録または再生しているディスクの領域に対する情報が必要である。すなわち、現在記録または再生している領域に対する半径情報またはユニット番号や物理的セクター番号のようなアドレス情報の検出が必要である。各領域に対する線速度データはディスク情報に該当するので、光ディスクのバーストカッティング領域（ＢＣＡ）、リードイン領域、またはリードアウト領域にデータテーブルの形で記録することができる。
【００２８】
本発明によるスピンドルインデックス情報が記録された光ディスクに対してＺｏｎｅ  ＣＬＶ方式が適用される場合、各領域でのスピンドルインデックス情報の検出周期に関連するデータが光ディスクのＢＣＡ領域、リードイン領域またはリードアウト領域に記録される。この光ディスクを再生する場合、再生動作前にあらかじめＢＣＡ領域などに記録されたデータを読み出して、読み出したデータ、光ディスクの再生中に検出されたデータ領域に関する情報、そして読み出したＲＦ信号から検出されたスピンドルインデックス情報の検出周期を基礎にしてＺｏｎｅ  ＣＬＶ方式でスピンドルサーボ制御をすることができる。
【００２９】
参考までに、前記スピンドルインデックス情報は前記スピンドルサーボ制御動作以外の他の用途にも使用することができる。
【００３０】
一方、ガード１領域には、図７に示したように、各論理的領域を識別するための２０チャネルビットの領域ＩＤ（Zone ID）情報が記録され、記録ユニットブロックの先頭を識別することができるようにするための２０チャネルビットの同一パターンが５４回反復記録される。領域ＩＤ情報は記録ユニットブロックをランダムアクセスするためのアドレス情報として管理される。
【００３１】
また、領域ＩＤ情報は、図８に示したように、記録ユニットブロックに含まれる１１０４チャネルビットのランアウト領域のガード２領域に記録されてもよい。この場合、ガイド２領域には、２０チャネルビットの領域ＩＤ情報が記録され、記録ユニットブロックの終端を識別するための２０チャネルビットの同一パターンが２６回反復記録される。
【００３２】
したがって、前記のようにランイン領域のガード１またはランアウト領域のガード２に論理的領域のアドレス情報に該当する固有の領域ＩＤ情報が記録されたＢＤ−ＲＯＭ  ２００を再生するための光ディスク装置では、ＢＤ−ＲＯＭ  ２００のランイン領域またはランアウト領域に記録された領域ＩＤ情報を別の複雑なデコーディング動作なく速かに確認して、ユーザーが希望する特定の記録位置をランダムにアクセスすることができる。
【００３３】
前記のようにランイン領域のガード１またはランアウト領域のガード２に記録される領域ＩＤ情報のうち一部を利用して、現在の記録位置がリードイン領域、データ領域、リードアウト領域のいずれであるかを示すこともできる。例えば、２０チャネルビットの領域ＩＤ情報の先頭２チャネルビットの値が‘００’の場合リードイン領域、‘０１’の場合データ領域、そして‘１０’である場合リードアウト領域であることを示すことができる。
【００３４】
したがって、光ディスク装置では、２０チャネルビットの領域ＩＤ情報のうち先頭２チャネルビットの値を確認して、リードイン領域、データ領域、リードアウト領域へのロングジャンプ動作をより速かに遂行することができる。
【００３５】
ＢＤ−ＲＯＭ  ２００を複数の論理的領域に区画しない状態でも、エラー訂正ブロック単位と同じ長さの記録ユニットブロック（ＲＵＢ）に含まれる２０チャネルビットのアドレス情報を、前述したように、ランイン領域のガード１またはランアウト領域のガード２に記録することで、再生動作時そのアドレス情報を別の複雑なデコーディング動作なく速かに確認して、ユーザーが希望する特定の記録位置をランダムにアクセスすることができる。
【００３６】
一つのエラー訂正ブロック単位と同じ長さを有する記録ユニットブロック（ＲＵＢ）をより速かに探索するために、記録ユニットブロックのアドレス情報をランイン領域またはランアウト領域のガードに記録する具体的な実施形態に対して詳細に説明する。
【００３７】
アドレス情報をランイン領域のガード１に記録する場合、図９に示したように、１１００チャネルビットのガード１領域の先頭部分と後端部分に該当領域がランイン領域のガード１であることを示すための２０チャネルビットをそれぞれ２３回反復記録して、それらの間に所定ビット長さのアドレス情報、同期データ、そしてビット数を一致させるための整列ビットを付加記録する。
【００３８】
例えば、１０８ビットのサイズのＥＣＣクラスタアドレスを記録して、そのＥＣＣクラスターアドレスの前端に、２ビットの整列ビット（‘０１’）と３０ビットの同期データを記録すると共に、その後端に３０ビットの同期データと１０ビットの整列ビット（１０[０2]１[０2]１０１）を記録して、ガード１領域の１１００チャネルビット数と一致させる。
【００３９】
ＥＣＣクラスタアドレスは、４バイトのアドレスユニット番号（ＡＵＮ）、１バイトの予備領域、そして４バイトのパリティービットからなり７２ビットのサイズを有する。この時、この７２ビットのＥＣＣクラスタアドレスは広く知られたリードソロモン（ＲＳ）符号化方式、例えばＲＳ（９、５、５）符号化によって処理され、１０８ビット（７２×（３／２））のサイズで記録される。
【００４０】
また、ＥＣＣクラスタアドレスは、４バイトの物理的セクター番号（ＰＳＮ）、１バイトの予備領域、そして４バイトのパリティービットからなる７２ビットのサイズとすることもできる。この場合にも前述したようにＲＳ（９、５、５）符号化過程を経るようになるので、１０８ビット（７２×（３／２））のサイズに記録される。
【００４１】
そして、前記のように記録されたアドレス情報は、ガード１領域の先頭部分または後端部分に記録される。例えばガード１領域の後端部分に記録される場合には、図１０に示したように、１１００チャネルビットのガード１領域のうち先頭部分に該当領域がランイン領域のガード１であることを示すための２０チャネルビットを４６回反復記録して、その後端に１０８ビットのアドレス情報、同期データ、そしてビット数を一致させるための整列ビットを記録する。
【００４２】
また、アドレス情報、すなわちＥＣＣクラスタアドレスは、４バイトのアドレスユニット番号（ＡＵＮ）または物理的セクター番号（ＰＳＮ）のうちいずれか一つ、１バイトの予備領域、そして４バイトのパリティービットからなる７２ビットのサイズとなる。この場合にも前述したようにＲＳ（９、５、５）符号化処理され、１０８ビット（７２×（３／２））のサイズで記録される。
【００４３】
前記アドレス情報を、ランアウト領域のガード２に記録してもよい。例えば図１１に示したように、ガード２領域のサイズ、すなわち５４０ビットの先頭部分の１８０ビットと後端部分の１８０ビットに、該当領域がリードアウト領域のガード２であることを示すための２０チャネルビットをそれぞれ９回反復記録して、それらの間に１０８ビットのアドレス情報、同期データ、整列ビットを付加記録するようにしてもよい。
【００４４】
さらに、図１２に示したように、ガード２領域の先頭部分の３６０ビットに、該当領域がリードアウト領域のガード２であることを示すための２０チャネルビットを１８回反復記録して、１０８ビットのアドレス情報、同期データ、整列ビットを付加記録するようにしていもよい。
【００４５】
本発明によるアドレス情報はＲＳ（９、５、５）のリードソロモン（ＲＳ）コードにより符号化される。一方、ＢＤ−ＲＥでは、アドレスとデータ情報がＲＳ（６２、３０、３３）により符号化されたＢＩＳ（Burst Indicator Subcode）として記録される。したがって、ＢＤ−ＲＥでアドレス情報を得ようとするなら、ＢＩＳをデコーディングする時複雑な計算を経なければならない。しかし、本発明によるアドレス情報は、ＢＩＳのデコーディングにおけるような複雑な計算過程がなく、簡単なデコーディングにより得ることができる。したがって、記録ユニットブロック（ＲＵＢ）に対する速いアクセスが可能である。
【００４６】
図９ないし１２のようにランインまたはランアウト領域のガード１または２にアドレス情報が記録された場合にも、ガード１または２を示すために反復記録されるチャネルビットの一部にスピンドルインデックス情報を記録して、ＣＬＶ方式のスピンドルサーボ動作を簡便に制御することができる。また、本発明により簡単なデコーディング動作により検出されるアドレス情報、読み出したＲＦ信号から検出されるスピンドルインデックス情報の検出周期、そして光ディスクのＢＣＡ領域などで読み出した各領域に対する線速度データを基礎にして、Ｚｏｎｅ  ＣＬＶ方式のスピンドルサーボ動作を制御することができる。
【００４７】
ＢＤ−ＲＯＭデータが記録される記録ユニットブロックに含まれるランイン領域とランアウト領域は、前述したＢＤ−ＲＥのランイン領域とランアウト領域の構造と同様である。しかし、ＢＤ−ＲＯＭの記録ユニットブロックのランイン領域とランアウト領域が必ずＢＤ−ＲＥと同一である必要はない。
【００４８】
ランイン領域とランアウト領域のサイズが必ずＢＤ−ＲＥのそれらと同一である必要がなく、ＢＤ−ＲＯＭのランイン領域とランアウト領域のサイズも異なる必要がない。すなわち、再記録可能なディスクでは、記録ユニットブロックに記録するための準備領域の役割を果たすランイン領域のサイズが、データの記録終了位置と次の記録ユニットブロックとの区別の役割だけを果たすランアウト領域のサイズより大きい必要がある。しかし、再生専用のディスクではランイン領域とランアウト領域がデータが記録されたブロック間の区分する役割を主にするので、ランイン領域とランアウト領域のサイズが異なる必要はなく、互に同一であっても差し支えない。また、これらの名称もランイン領域、ランアウト領域でなく、連結領域（Linking Frame or Linking area）１、２または前区分領域、後区分領域などの他の名前で用いることもある。
【００４９】
前述したように、本発明では高密度再生専用光ディスク、高密度再生専用光ディスクへのアドレス及び／またはサーボ情報記録方法、高密度再生専用光ディスクに記録されたデータ再生方法を提供する。しかし、本発明による上述したような方法は高密度再記録可能または記録可能光ディスク（ＢＤ−ＲＥまたはＢＤ−ＷＯ）にも適用することができる。
【００５０】
前記のようなＢＤ−ＲＯＭ  ２００を再生するための光ディスク装置は、図１３に示したように、光ピックアップ１１、ＶＤＰ（Video Disc Player）システム１２、Ｄ／Ａ変換器１３などを備えている。
【００５１】
光ピックアップ１１はＶＤＰシステム１２の制御によってＢＤ−ＲＯＭからデータを読み出す。ＶＤＰシステムには復調回路、サーボ制御器、マイコンなどが含まれる。Ｄ／Ａ変換器１３はデジタルデータをアナログデータに変換して出力する。
【００５２】
ＢＤ−ＲＥまたはＢＤ−ＷＯにデータを記録する場合、光ピックアップ１１はＶＤＲ（Video Disc Recorder）システムの制御によって光媒体にデータを記録したり、再生する。しかし、ＶＤＰシステムの代わりにＶＤＲシステムを用意して、ＢＤ−ＲＥまたはＢＤ−ＷＯにデータを記録することもできる。このＶＤＲシステムには所定の変調方法によってデータを変調するための変調器、サーボ動作を制御するためのサーボ制御器、光ディスク装置を全体的に制御するためのマイコンが含まれる。
【００５３】
前記のような本発明による高密度光ディスク、高密度光ディスクへのアドレスまたは／及びサーボ情報記録方法、高密度光ディスクに記録されたデータ再生方法は、光ディスクプレーヤー等で再生動作時アドレス情報または／及びスピンドルインデックス情報を別の複雑なデコーディング動作なく速かに読み出して、ユーザーが希望する特定の記録位置をランダムにアクセスすることができて、線速度一定（ＣＬＶ）方式のスピンドルサーボ動作を簡便に実施することができる。
【００５４】
以上、前述した本発明の望ましい実施形態は、例示の目的のために開示されたものであって、当業者ならば添付された特許請求範囲に開示された本発明の技術的思想とその技術的範囲内でまた他の多様な実施形態を改良、変更、代替または付加などが可能であろう。
【図面の簡単な説明】
【００５５】
【図１】再記録可能なブルーレイディスク（ＢＤ−ＲＥ）に対する構造を示した図である。
【図２】再記録可能なブルーレイディスク（ＢＤ−ＲＥ）の記録ユニットブロック（ＲＵＢ）を示した図である。
【図３】再記録可能なブルーレイディスク（ＢＤ−ＲＥ）の記録ユニットブロックに含まれるランイン領域、ランアウト領域、ガード３領域を示した図である。
【図４】本発明による再生専用ブルーレイディスク（ＢＤ−ＲＯＭ）に対する構造を示した図である。
【図５】本発明による再生専用ブルーレイディスク（ＢＤ−ＲＯＭ）のランイン領域にスピンドルインデックス情報が記録された実施形態を示した図である。
【図６】本発明による再生専用ブルーレイディスク（ＢＤ−ＲＯＭ）のランアウト領域にスピンドルインデックス情報が記録された実施形態を示した図である。
【図７】本発明による再生専用ブルーレイディスク（ＢＤ−ＲＯＭ）の記録ユニットブロックに領域ＩＤ情報が含まれるランイン領域を示した図である。
【図８】本発明による再生専用ブルーレイディスク（ＢＤ−ＲＯＭ）の記録ユニットブロックに領域ＩＤ情報が含まれるランアウト領域を示した図である。
【図９】本発明による再生専用ブルーレイディスク（ＢＤ−ＲＯＭ）のランイン領域にアドレス情報が記録された実施形態を示した図である。
【図１０】本発明による再生専用ブルーレイディスク（ＢＤ−ＲＯＭ）のランイン領域にアドレス情報が記録された実施形態を示した図である。
【図１１】本発明による再生専用ブルーレイディスク（ＢＤ−ＲＯＭ）のランアウト領域にアドレス情報が記録された実施形態を示した図である。
【図１２】本発明による再生専用ブルーレイディスク（ＢＤ−ＲＯＭ）のランアウト領域にアドレス情報が記録された実施形態を示した図である。
【図１３】本発明による再生専用ブルーレイディスク（ＢＤ−ＲＯＭ）を再生するための光ディスク装置に対する構成を概略的に示した図である。
【図１】
2005536002.tif 000003
【図２】
2005536002.tif 000004
【図３】
2005536002.tif 000005
【図４】
2005536002.tif 000006
【図５】
2005536002.tif 000007
【図６】
2005536002.tif 000008
【図７】
2005536002.tif 000009
【図８】
2005536002.tif 000010
【図９】
2005536002.tif 000011
【図１０】
2005536002.tif 000012
【図１１】
2005536002.tif 000013
【図１２】
2005536002.tif 000014
【図１３】
2005536002.tif 000015
【国際調査報告】
2005536002.tif 000016
2005536002.tif 000017